(57)【要約】【課題】連続不稼働時間を大幅に低減できるエレベーターの改修方法の提供を目的とする。【解決手段】上記目的は、既設かご位置表示器と既設枠体を取り外す工程Ｓ１と既設操作盤と既設側板を取り外す工程Ｓ２とを実施した後、既設枠体に替えて改修用枠体を乗りかごドアの上方に取り付ける工程Ｓ３と、既設側板に替えて改修用側板を乗りかごドアの右袖壁に取り付ける工程Ｓ４とを実施した後、仮設かご位置表示器及び既設操作盤を改修用側板に仮保持する工程Ｓ５とからなる第１工事工程Ｔ１を実施した後、エレベーターの通常運転工程Ｔ２を実施し、その後、改修用側板に前記既設操作盤に替えて改修用操作盤を取り付ける工程Ｓ６と改修用側板に前記仮設かご位置表示器に替えて改修用操作盤を取り付ける工程Ｓ７とからなる第２工事工程Ｔ３を実施することで、達成できる。【選択図】図１
2005194019.tif 000002
【特許請求の範囲】
【請求項１】
既設かご位置表示器が設けられる既設枠体及び既設操作盤が設けられる既設側板に替えて改修用枠体及び改修用側板を取り付けた後、この改修用側板に仮設かご位置表示器及び前記既設操作盤を仮保持する第１工事工程を終了させた後、エレベーターを通常運転させる通常運転工程を実施し、その後、既設エレベーター用制御装置を改修エレベーター用制御装置に更新すると共に、前記仮設かご位置表示器及び前記既設操作盤に替えて改修用かご位置表示器及び改修用操作盤を前記改修用側板に取り付ける第２工事工程を実施するエレベーターの改修方法において、前記第１工事工程は、前記既設かご位置表示器及び前記既設枠体を取り外す工程並びに前記既設操作盤及び前記既設側板を取り外す工程を実施した後に、前記既設枠体に替えて前記改修用枠体を乗りかごドアの上方に取り付ける工程と、前記既設側板に替えて前記改修用側板を乗りかごドアの袖壁に取り付ける工程を実施した後、仮設かご位置表示器及び前記既設操作盤を前記改修用側板に仮保持する工程とからなり、しかも、前記第２工事工程は、前記既設エレベーター用制御装置を前記改修エレベーター用制御装置に取り替えると共に、前記既設操作盤に替えて前記改修用操作盤を前記改修用側板に取り付ける工程と、前記仮設かご位置表示器に替えて前記改修用かご位置表示器を前記改修用側板に取り付ける工程からなることを特徴とするエレベーターの改修方法。
【請求項２】
前記改修用側板としては、前記改修用かご位置表示器を取り付けるための取り付け機構及び前記改修用操作盤を取り付けるための取り付け機構が設けられた構成にしたものを用いると共に、前記仮設かご位置表示器としては、前記既設エレベーター用制御装置に対応してかご位置を表示する構成にしたものを用いるようにしたことを特徴とする請求項１記載のエレベーターの改修方法。
【請求項３】
前記既設かご位置表示器と前記既設枠体を取り外す工程を実施した後に、前記既設操作盤と前記既設側板を取り外す工程を実施すると共に、前記既設操作盤に替えて前記改修用操作盤を前記改修用側板に取り付ける工程を実施した後に、前記仮設かご位置表示器に替えて前記改修用かご位置表示器を前記改修用側板に取り付ける工程を実施するようにしたことを特徴とする請求項１若しくは２記載のエレベーターの改修方法。
【発明の詳細な説明】
【技術分野】
【０００１】
本発明は、かご位置表示器及び操作盤を更新するのに好適なエレベーターの改修方法に関するものである。
【背景技術】
【０００２】
近年、数十年前に建てられた高層ビルなどの建物は、現代感覚に合わせた改装工事が施されて、イメージアップが図られている。ところが、これら建物に設置したエレベーターは、エレベーター改修工事が長くなることで、エレベーターの連続不稼働時間が長くなり、エレベーター利用者に迷惑を掛けてしまうことを嫌って、改修されずに、旧態のままの性能と意匠で使用されている。そのために、改装された建物と改修されないままのエレベーターとの間には、違和感が生じてしまうので、エレベーターを現代感覚に合わせて改修工事をすることが望まれている。また、近年のエレベーターは、マイクロコンピューターを用いた電子制御方式のエレベーター用制御装置が採用されて、省電力、乗り心地、及び安全性が一段と向上したので、快適な輸送設備として、ますます重要視されている。それゆえ、エレベーターにおいては、従来のリレー式のエレベーター用制御装置から電子制御方式のエレベーター用制御装置にするための改修工事をすることが望まれている。
【０００３】
そこで、エレベーターの連続不稼働時間が長くなることを防止するために、改修工事を、第１工事と第２工事とに分けて、その第１工事と第２工事との間にエレベーターを通常運転させるようにした、いわゆる、分割工事によるエレベーターの改修方法が提案されていた（例えば、特許文献１参照）。
【特許文献１】特開平５−１０５３５３号公報（段落番号０００７〜００１１、図２）
【発明の開示】
【発明が解決しようとする課題】
【０００４】
しかしながら、上述した特開平５−１０５３５３号公報に記載の改修方法は、従来のリレー式のエレベーター用制御装置を操作する既設操作盤のみを、電子制御方式のエレベーター用制御装置を操作する改修用操作盤に、更新するための改修工事に関するものであって、既設かご位置表示器の改修については全く考慮されていない。そして、上述した特開平５−１０５３５３号公報に記載の改修方法では、リレー式の既設エレベーター用制御装置に対応してかご位置を表示する既設かご位置表示器及び既設操作盤を用いて、第１工事工程と第２工事工程との間で行われるエレベーターの通常運転をしなければならないので、既設かご位置表示器及びこの既設かご位置表示器を取り付けるための既設枠体の取り外し作業を、第２工事工程にて、改修用かご位置表示器の更新作業と一緒に行わなければならない。
【０００５】
ところが、既設枠体の取り外し作業を行うと、塵埃が発生して、その塵埃が乗りかごの内外に飛散するので、その飛散が収まった後に、塵埃を取り除く清掃作業をしなければならず、しかも、その清掃作業終了後に、改修用かご位置表示器の更新作業を行うことになるので、第２工事工程の作業時間が長くなってしまうという問題があった。しかも、既設枠体の取り付け及び取り外し作業などのような大工工事と、改修用かご位置表示器などの電気機器類を更新する電気工事を別々の業者が担当することがあり、それら業者間の連絡がうまくいかないと、さらに、第２工事工程の作業時間が長くなってしまうという問題点があった。
【０００６】
本発明の目的は、上述の問題点にかんがみ、第２工事工程の作業時間が長くなるのを防止して、エレベーターの連続不稼働時間を大幅に短縮し得るエレベーターの改修方法を提供することにある。
【課題を解決するための手段】
【０００７】
本発明の上記目的は、既設かご位置表示器が設けられる既設枠体及び既設操作盤が設けられる既設側板に替えて改修用枠体及び改修用側板を取り付けた後、改修用側板に仮設かご位置表示器及び前記既設操作盤を仮保持する第１工事工程を終了させた後、エレベーターを通常運転させる通常運転工程を実施し、その後、既設エレベーター用制御装置を改修エレベーター用制御装置に更新すると共に、仮設かご位置表示器及び既設操作盤に替えて改修用かご位置表示器及び改修用操作盤を改修用側板に取り付ける第２工事工程を実施するようにしたエレベーターの改修方法において、前記第１工事工程を、既設かご位置表示器及び既設枠体を取り外す工程並びに既設操作盤及び既設側板を取り外す工程を実施した後に、前記既設枠体に替えて改修用枠体を乗りかごドアの上方に取り付ける工程と、前記既設側板に替えて改修用側板を乗りかごドアの袖壁に取り付ける工程を実施した後、仮設かご位置表示器及び前記既設操作盤を前記改修用側板に仮保持する工程とから構成し、しかも、前記第２工事工程は、既設エレベーター用制御装置を改修エレベーター用制御装置に取り替えると共に、前記既設操作盤に替えて改修用操作盤を前記改修用側板に取り付ける工程と、前記仮設かご位置表示器に替えて改修用かご位置表示器を前記改修用側板に取り付ける工程から構成することにより、達成できる。
【発明の効果】
【０００８】
本発明によれば、既設枠体及び既設側板の両方の取り外し並びに改修用枠体及び改修用側板の両方の取り付けという大工工事作業が、第１工事工程でまとめて行われ、第２工事工程では改修用かご位置表示器及び改修用操作盤の更新という電気工事作業で済むために、第２工事工程の作業時間が短縮されることと相俟って、第１工事工程と第２工事工程との間で、エレベーターが通常運転するので、エレベーターの連続不稼働時間を大幅に短縮させることのできるエレベーターの改修方法を提供できた。
【発明を実施するための最良の形態】
【０００９】
以下、本発明に係るエレベーターの改修方法の一実施形態を、図１〜図３に基づいて説明する。図１は、本発明の一実施形態に係わるエレベーターの改修方法の作業手順を示すフローチャートである。図２は、本発明のエレベーターの改修方法による改修前の既設エレベーター乗りかご内より見た正面斜視図である。図３は、本発明のエレベーターの改修方法による改修後の改修エレベーター乗りかご内より見た正面斜視図である。図２及び図３において、同一符号は、同一内容を表している。
【００１０】
図２に示す、既設エレベーター乗りかご１内には、乗りかごドア２の上方に既設枠体３を用いて既設かご位置表示器４が設けられている。既設エレベーター乗りかご１内の乗りかごドア２の右袖壁には、既設側板５を用いて既設操作盤６が設けられている。図２において、７は天井板、８は出入口用柱、９は床板を、それぞれ表している。既設エレベーター乗りかご１は、既設操作盤６を操作することで、機械室などに設置された既設エレベーター用制御装置(図示せず)を作動させることにより、運転するようにしてある。既設エレベーター用制御装置は、リレーなどの電磁接触器を利用してエレベーター運転を制御する旧式の構造になっている。
【００１１】
図３には、既設エレベーター乗りかご１を改修した後のエレベーター乗りかごが示されており、このエレベーター乗りかごを、以下、改修エレベーター乗りかご１０と称することとする。この改修エレベーター乗りかご１０は、乗りかごドア２の上方に、既設枠体３及び既設かご位置表示器４に替えて、新式の枠体１１（以下、改修用枠体１１と称する）が設けられている。改修エレベーター乗りかご１０内の乗りかごドア２の右袖壁には、既設側板５及び既設操作盤６に替えて、新式の側板１２（以下、改修用側板１２と称する）、新式のかご位置表示器１３（以下、改修用かご位置表示器１３と称する）及び新式の操作盤１４（以下、改修用操作盤１４と称する）が設けられている。改修用かご位置表示器１３は、改修エレベーター用制御装置に対応してかご位置を表示する構成にしてある。
【００１２】
改修用枠体１１は、改修用かご位置表示器１３を取り付けるための取り付け機構を設けずに、塞ぎ装飾板状としてある。改修用側板１２は、改修用かご位置表示器１３を取り付けるための取り付け機構(図示せず)及び改修用操作盤１４を取り付けるための取り付け機構(図示せず)が設けられていると共に、その改修用操作盤１４を取り付けるための取り付け機構部分に既設操作盤６を着脱可能に取り付けることが可能な構成にしてある。図３において、１５は、改修用側板１２から取り除いた仮設かご位置表示器を表している。この仮設かご位置表示器１５は、改修用側板１２の改修用かご位置表示器１３を取り付けるための取り付け機構に、改修用かご位置表示器１３と同じく、着脱可能に取り付けることができる構成にしてあると共に、既設エレベーター用制御装置に対応してかご位置を表示する構成にしてある。改修エレベーター乗りかご１０は、既設エレベーター用制御装置に替えて、改修エレベーター用制御装置(図示せず)を機械室などに設置し、改修用操作盤１４を操作することで、その改修エレベーター用制御装置を作動させることにより、運転するようにしてある。改修エレベーター用制御装置は、マイクロコンピューターを利用してエレベーター運転を制御する新式の構造になっている。
【００１３】
次に、図２の既設エレベーター乗りかご１を、図３の改修エレベーター乗りかご１０に改修するエレベーターの改修方法の一実施形態を、図１に基づき詳説する。
【００１４】
本発明のエレベーターの改修方法は、図１に示すように、既設かご位置表示器４が設けられる既設枠体３及び既設操作盤６が設けられる既設側板５に替えて改修用枠体１１及び改修用側板１２を取り付けた後、改修用側板１２に仮設かご位置表示器１５及び既設操作盤６を仮保持する第１工事工程Ｔ１を終了させた後、エレベーターを通常運転させるエレベーター通常運転工程Ｔ２を実施し、その後、既設エレベーター用制御装置を改修エレベーター用制御装置に更新すると共に、仮設かご位置表示器１５及び既設操作盤６に替えて改修用かご位置表示器１３及び改修用操作盤１４を改修用側板１２に取り付ける第２工事工程Ｔ３を実施するようにしてある。
【００１５】
上述の第１工事工程Ｔ１は、はじめに、既設かご位置表示器４と既設枠体３を取り外す工程Ｓ１を実施した後、既設操作盤６と既設側板５を取り外す工程Ｓ２を実施する。次いで、既設枠体３に替えて改修用枠体１１を乗りかごドア２の上方に取り付ける工程Ｓ３を実施した後、既設側板５に替えて改修用側板１２を乗りかごドア２の右袖壁に取り付ける工程Ｓ４を実施する。次いで、仮設かご位置表示器１５を改修用側板１２に改修用かご位置表示器１３を取り付けるための取り付け機構を利用して仮保持し、かつ、前記工程Ｓ１で取り外した既設操作盤６を改修用側板１２に改修用操作盤１４を取り付けるための取り付け機構を利用して仮保持する工程Ｓ５を実施することで、第１工事工程Ｔ１が全て終了する。
【００１６】
第１工事工程Ｔ１が全て終了したならば、改修工事を中断して、仮設かご位置表示器１５と既設操作盤６を用いて既設エレベーター用制御装置によりエレベーターを通常に運転させるエレベーター通常運転工程Ｔ２を、所望の期間、実施した後、第２工事工程Ｔ３を開始する。
【００１７】
上述の第２工事工程Ｔ３は、はじめに、既設エレベーター用制御装置を改修エレベーター用制御装置に取り替える工程Ｓ６を実施する。次いで、改修用側板１２に仮保持した仮設かご位置表示器１５及び既設操作盤６を取り外した後、その仮設かご位置表示器１５及び既設操作盤６に替えて改修用かご位置表示器１３及び改修用操作盤１４を取り付ける工程Ｓ７を実施すれば、第２工事工程Ｔ３が全て終了する。
【００１８】
上記本実施形態のエレベーターの改修方法によれば、第１工事工程Ｔ１と第２工事工程Ｔ３との間で、エレベーター通常運転工程Ｔ２が実施されると共に、既設枠体３及び既設側板５の両方の取り外し並びに改修用枠体１１及び改修用側板１２の両方の取り付けという大工工事作業を、第１工事工程Ｔ１でまとめて行われ、第２工事工程Ｔ３では改修用かご位置表示器１３及び改修用操作盤１４の更新という電気工事作業で済み、第２工事工程Ｔ３の作業時間が短縮されるので、エレベーターの連続不稼働時間を大幅に短縮させることができる。
【００１９】
さらに、上記本実施形態のエレベーターの改修方法において、第１工事工程Ｔ１と第２工事工程Ｔ３との間で行われるエレベーター通常運転を、仮設かご位置表示器１５及び既設操作盤６で行うようにしたので、改修用かご位置表示器１３を、既設エレベーター用制御装置に左右されることなく、改修エレベーター用制御装置に対応させて最新の表示方式とデザインで、自由に設計することができる。また、改修用枠体１１及び改修用側板１２も、既設エレベーター用制御装置や既設操作盤６に左右されることなく、最新のデザインで、自由に設計することができる。
【００２０】
上記本実施形態のエレベーターの改修方法では、既設かご位置表示器４と既設枠体３を取り外す工程Ｓ１を実施した後に、既設操作盤６と既設側板５を取り外す工程Ｓ２を実施するようにしているが、これに限定されない。既設操作盤６と既設側板５を取り外す工程Ｓ２を実施した後に、既設かご位置表示器４と既設枠体３を取り外す工程Ｓ１を実施するようにすることも可能である。
【００２１】
さらに、上記本実施形態のエレベーターの改修方法では、既設エレベーター用制御装置を改修エレベーター用制御装置に取り替えると共に、改修用側板１２に既設操作盤６に替えて改修用操作盤１４を取り付ける工程Ｓ６を実施した後に、改修用側板１２に仮設かご位置表示器１５に替えて改修用かご位置表示器１３を取り付ける工程Ｓ７を実施するようにしているが、これに限定されない。改修用側板１２に仮設かご位置表示器１５に替えて改修用かご位置表示器１３を取り付ける工程Ｓ７を実施した後に、既設エレベーター用制御装置を改修エレベーター用制御装置に取り替えると共に、改修用側板１２に既設操作盤６に替えて改修用操作盤１４を取り付ける工程Ｓ６を実施するようにすることも可能である。
【００２２】
さらに、上記本実施形態のエレベーターの改修方法では、乗りかごドア２の右袖壁に既設側板５及び既設操作盤６を設けた既設エレベーター乗りかご１の改修を行っているが、これに限定されない。乗りかごドア２の左袖壁に既設側板５及び既設操作盤６を設けるようにした既設エレベーター乗りかごを改修する場合にも、上記本実施形態のエレベーターの改修方法を適用することができる。
【図面の簡単な説明】
【００２３】
【図１】本発明の一実施形態に係わるエレベーターの改修方法の作業手順を示すフローチャートである。
【図２】本発明のエレベーターの改修方法による改修前の状態を示す既設エレベーター乗りかご内より見た正面斜視図である。
【図３】本発明のエレベーターの改修方法による改修後の状態を示す改修エレベーター乗りかご内より見た正面斜視図である。
【符号の説明】
【００２４】
１    既設エレベーター乗りかご
２    乗りかごドア
３    既設枠体
４    既設かご位置表示器
５    既設側板
６    既設操作盤
７    天井板
８    出入口用柱
９    床板
１０  改修エレベーター乗りかご
１１  改修用枠体
１２  改修用側板
１３  改修用かご位置表示器
１４  改修用操作盤
１５  仮設かご位置表示器
【図１】
2005194019.tif 000003
【図２】
2005194019.tif 000004
【図３】
2005194019.tif 000005